(57)【要約】【課題】携帯電子機器の小型化を達成するとともに、携帯電子機器の組立て後におけるデバイスの機能検査を容易化する。【解決手段】挿入孔１４２を有する筐体３と、上記挿入孔１４２を介して上記筐体３外から挿入される携帯記録媒体の端子に当接導通する第１端子が内部に形成されるスロット部１４と、上記筐体３内に内設され、上記スロット部１４が取り付けられるとともに上記第１端子に電気的に接続される回路基板１３と、を備え、上記回路基板１３は、実装される電子部品１５と電気的に接続される配線１６を有し、上記スロット部１４の内部でかつ上記携帯記録媒体が挿入された際に携帯記録媒体の端子と当接しない位置に、上記配線１６と導通する第２端子が形成され、上記第２端子を介して上記デバイス１５の機能検査を行う。【選択図】図２
2007150830.tif 000002
【特許請求の範囲】
【請求項１】
挿入孔を有する筐体と、
前記挿入孔を介して前記筐体外から挿入される携帯記録媒体の端子に当接導通する第１端子が内部に形成されるスロット部と、
前記筐体内に内設され、前記スロット部が取り付けられるとともに前記第１端子に電気的に接続される回路基板と、を備え、
前記回路基板は、実装される電子部品と電気的に接続される配線を有し、
前記スロット部の内部でかつ前記携帯記録媒体が挿入された際に携帯記録媒体の端子と当接しない位置に、前記配線と導通する第２端子が形成されることを特徴とする携帯電子機器。
【請求項２】
挿入孔を有する筐体と、
前記挿入孔を介して前記筐体外から挿入される携帯記録媒体の端子に当接導通する第１端子が内部に形成されるスロット部と、
前記筐体内に内設され、前記スロット部が取り付けられるとともに前記第１端子に電気的に接続される回路基板と、を備え、
前記回路基板は、実装される電子部品と電気的に接続される配線と、当該配線の末端に設けられる第２端子とを有し、
前記第２端子は、前記回路基板の前記スロット部が取り付けられる位置に設けられ、
前記スロット部は、前記回路基板に対向する面の少なくとも一部が開放され、
前記第２端子が前記スロット部の開放された一部にて露出されていることを特徴とする携帯電子機器。
【請求項３】
前記第２端子は、前記電子部品に対する入力端子と出力端子とを含む複数の端子を有することを特徴とする請求項１または２記載の携帯電子機器。
【請求項４】
前記スロット部は、前記第１端子及び前記第２端子が形成される部分を除く他の部分が導電性を有する導電材料で構成され、当該導電材料で構成される前記他の部分が前記回路基板の基準電位ラインと電気的に接続されることを特徴とする請求項１記載の携帯電子機器。
【請求項５】
前記スロット部は、前記第１端子が形成される部分を除く他の部分が導電性を有する導電材料で構成され、当該導電材料で構成される前記他の部分が前記回路基板の基準電位ラインと電気的に接続されるとともに、前記第２端子と当該回路基板上の他の実装部品との間を仕切るよう構成されていることを特徴とする請求項２記載の携帯電子機器。
【請求項６】
請求項１及至５のいずれか一項に記載の前記携帯電子機器の前記スロットに挿入されるプローブであって、
前記スロット部の内部に挿入される外郭を有する挿入部と、
前記挿入部表面に形成されるとともに、前記挿入部が前記スロット部に挿入された際に前記第２端子に当接導通する位置に配された接続端子と、
一端が前記接続端子に電気的に接続される信号線と、を備え、
前記スロット部に挿入された状態にて、前記第２端子への入力信号あるいは出力信号を前記信号線の一端と他端との間で伝送することを特徴とするプローブ。
【請求項７】
前記挿入部表面であって、前記挿入部が前記スロット部に挿入された状態にて前記第１端子に当接する部位が絶縁性を有することを特徴とする請求項６記載のプローブ。
【発明の詳細な説明】
【技術分野】
【０００１】
本発明は、携帯記録媒体が挿入可能なスロット部を有する携帯電子機器及び当該携帯電子機器の機能検査に用いるプローブに関するものである。
【背景技術】
【０００２】
近年の携帯電子機器は、高機能化したＩＣチップを組合わせて機能を達成している。このような携帯電子機器においては高密度で実装される各デバイスの機能（携帯電子機器の動作）を検査する必要があるが、各デバイスは高密度で実装されるため、各デバイス同士等の干渉を含めた検査は、携帯電子機器を組立てた後に行う必要がある。そこで、例えば、各デバイスが実装される基板上に各デバイスと電気的に接続されたテストポイントを形成し、このテストポイントに接続して各デバイスの機能を検査している（例えば、特許文献１参照）。
例えば、携帯電子機器の一例である携帯電話機においては、筐体に内設された基板上にテストポイントを形成しておき、筐体の一部に形成された窓を介してテストポイントに検査用のプローブを接続することによって各デバイスの機能を検査している。
【特許文献１】特開２００２−５５９６３号公報
【発明の開示】
【発明が解決しようとする課題】
【０００３】
ところが、筐体の一部に窓を形成した場合には、その窓を介して異物が筐体の内部に入り込む恐れがあるため、通常、携帯電話機においては、窓を形成した筐体の一部を含む領域上に樹脂製のシートを設置し、さらにシートの上にバッテリーを設置し、そのバッテリーをカバーによって覆っている。すなわち、バッテリー収納部の底部に窓が形成され、その上に樹脂製のシートが設置されている。
このため、検査用のプローブをテストポイントに接続するためには、カバーを外し、バッテリーを外し、シートを外した後に行う必要があり、デバイスの機能検査のための作業が煩雑化している。
【０００４】
また、特に携帯電話機は、近年、益々小型化が求められているが、テストポイント用に基板上のスペースを割く必要があり、これが携帯電話機の小型化を阻む一要因となっている。
【０００５】
本発明は、上述する問題点に鑑みてなされたもので、携帯電子機器の小型化を達成することを目的とする。
また、本発明は、携帯電子機器の組立て後におけるデバイスの機能検査を容易化することを目的とする。
【課題を解決するための手段】
【０００６】
上記目的を達成するために、本発明の携帯電話機は、挿入孔を有する筐体と、上記挿入孔を介して上記筐体外から挿入される携帯記録媒体の端子に当接導通する第１端子が内部に形成されるスロット部と、上記筐体内に内設され、上記スロット部が取り付けられるとともに上記第１端子に電気的に接続される回路基板と、を備え、上記回路基板は、実装される電子部品と電気的に接続される配線を有し、上記スロット部の内部でかつ上記携帯記録媒体が挿入された際に携帯記録媒体の端子と当接しない位置に、上記配線と導通する第２端子が形成されることを特徴とする。
【０００７】
また、本発明の携帯電子機器は、挿入孔を有する筐体と、上記挿入孔を介して上記筐体外から挿入される携帯記録媒体の端子に当接導通する第１端子が内部に形成されるスロット部と、上記筐体内に内設され、上記スロット部が取り付けられるとともに上記第１端子に電気的に接続される回路基板と、を備え、上記回路基板は、実装される電子部品と電気的に接続される配線と、当該配線の末端に設けられる第２端子とを有し、上記第２端子は、上記回路基板の上記スロット部が取り付けられる位置に設けられ、上記スロット部は、上記回路基板に対向する面の少なくとも一部が開放され、上記第２端子が上記スロット部の開放された一部にて露出されていることを特徴とする。
【０００８】
また、本発明の携帯電子機器においては、上記第２端子は、上記電子部品に対する入力端子と出力端子とを含む複数の端子を有するという構成を採用することができる。
【０００９】
また、本発明の携帯電子機器においては、上記第２端子がスロット部の内部に形成される場合に、上記スロット部が、上記第１端子及び上記第２端子が形成される部分を除く他の部分が導電性を有する導電材料で構成され、当該導電材料で構成される上記他の部分が上記回路基板の基準電位ラインと電気的に接続されるという構成を採用することができる。
【００１０】
また、本発明の携帯電子機器においては、上記第２端子が上記回路基板の上記スロット部が取り付けられる位置に設けられる場合に、上記スロット部が、上記第１端子が形成される部分を除く他の部分が導電性を有する導電材料で構成され、当該導電材料で構成される上記他の部分が上記回路基板の基準電位ラインと電気的に接続されるとともに、上記第２端子と当該回路基板上の他の実装部品との間を仕切るよう構成されているという構成を採用することができる。
【００１１】
次に、本発明のプローブは、本発明の上記携帯電子機器の上記スロットに挿入されるプローブであって、上記スロット部の内部に挿入される外郭を有する挿入部と、上記挿入部表面に形成されるとともに、上記挿入部が上記スロット部に挿入された際に上記第２端子に当接導通する位置に配された接続端子と、一端が上記接続端子に電気的に接続される信号線と、を備え、上記スロット部に挿入された状態にて、上記第２端子への入力信号あるいは出力信号を上記信号線の一端と他端との間で伝送することを特徴とする。
【００１２】
また、本発明のプローブにおいては、上記挿入部表面であって、上記挿入部が上記スロット部に挿入された状態にて上記第１端子に当接する部位が絶縁性を有するという構成を採用することができる。
【発明の効果】
【００１３】
本発明の携帯電子機器によれば、回路基板に実装される電子部品に接続される配線と導通する第２端子が、スロット部の内部あるいはスロット部の内部に露出する回路基板の面に形成されている。つまり、従来はスロット部の外部に位置する回路基板上に形成されていた第２端子をスロット部の内部に移動させることができる。よって、回路基板そのものを小型化することができる。したがって、本発明の携帯電子機器は、小型の携帯電子機器となる。
また、第２端子が電子部品の機能検査を行うためのテストポイントである場合には、スロット部に検査用のプローブを挿入することによって、第２端子とプローブの接続端子とを接続し、これによって携帯電子機器の動作を検査することができる。したがって、携帯電子機器の組立て後におけるデバイスの機能検査を容易化することが可能となる。
【発明を実施するための最良の形態】
【００１４】
以下、図面を参照して、本発明に係る携帯電子機器及びプローブの一実施形態について説明する。なお、以下の図面において、各部材を認識可能な大きさとするために、各部材の縮尺を適宜変更している。
【００１５】
（第１実施形態）
図１は、本発明の携帯電子機器の一例である本実施形態の携帯電話機１を示す正面図である。
この図に示すように、本実施形態の携帯電話機１は、キー操作部２を備えた第１筐体３と、メインディスプレイ４を備えた第２筐体５と、第１筐体３と第２筐体５とを開閉可能に軸支するヒンジ部６とを備えている。
【００１６】
第１筐体３の内面３ａには、通話キー、終話キー等のキー操作部２が露出して設けられ、このキー操作部２の下方にマイクロフォン７が設置されている。さらに、この第１筐体３の端部には、第１筐体３の幅方向（紙面左右方向）に沿う横長の凹状に形成された切欠き部８が設けられており、この切欠き部８の両側に設置された第１筐体３の上部がヒンジ部６の軸受部９となっている。一方、第２筐体５には、その内面５ａにディスプレイ４が露出して設置され、このディスプレイ４の上方にスピーカ１０が設置されている。なお、このスピーカ１０の左右には、クッション材１１がそれぞれ取り付けられており、このクッション材１１によって、第１筐体３と第２筐体５とが閉じられる際の各筐体３，５に伝わる衝撃を緩和するようになっている。
【００１７】
図２は、第１筐体３の分解斜視図である。なお、図２においては、説明の便宜上、第１筐体３の内面３ａを下側にして示している。
この図に示すように、第１筐体３は、内面３ａを含むキーフロントケース３１と、バッテリー収納部１２等が形成されたキーリヤケース３２とによって構成されている。そして、これらのキーフロントケース３１とキーリヤケース３２とによって構成された第１筐体３に回路基板１３が内設されている。
【００１８】
回路基板１３上には、メモリーカード等の携帯記録媒体が挿入可能なスロット部１４、や各種デバイス１５（電子部品）が実装されている。また、回路基板１３上には、スロット部１４に形成された複数の携帯記録媒体用端子１４３（第１端子）や各種デバイス１５に導通される配線１６が形成されている。
【００１９】
図３は、スロット部１４を模式的に示した拡大斜視図である。また、図４は、スロット部１４を差込部１４２側から見た正面図である。これらの図に示すように、スロット部１４は、本体部１４１に携帯記録媒体１００が挿入な差込部１４２が形成されている。そして、差込部１４２の内部には、携帯記録媒体１００の複数の接続端子１０１に対応して形成された複数の携帯記録媒体用端子１４３が形成されている。この携帯記録媒体用端子１４３は、例えば、回路基板１３に実装されたデバイス１５の１つであるＣＰＵ等と電気的に接続されており、携帯記録媒体１００がスロット部１４の差込部１４２に挿入された状態において携帯記録媒体の接続端子１０１と当接導通される。このため、携帯記録媒体１００がスロット部１４の差込部１４２に挿入された状態において、携帯記録媒体１００とＣＰＵ等が電気的に接続され、これによって、携帯記録媒体１００に書き込まれた情報を引き出したり、携帯記録媒体１００に記録を書き込んだりすることが可能となる。
また、スロット部１４の内部には、携帯記録媒体１００がスロット部１４の差込部１４２に挿入された状態において、携帯記録媒体１００の接続端子１０１と当接しない位置に複数のテストポイント１４４（第２端子）が複数形成されている。このテストポイント１４４は、例えば、回路基板１３上に形成された配線１６１と導通し、回路基板１３の裏面に実装されるデバイス１５ａの入力端子に接続される。より詳細には、テストポイント１４４は、回路基板１３に実装された各種デバイス１５に対して検査信号を入力するための入力用端子と、各種デバイス１５から検査信号を取り出すための出力用端子とによって構成されている。
【００２０】
なお、本実施形態の携帯電話機１においては、スロット部１４は、図３に示す携帯記録媒体用端子１４３及びテストポイント１４４が形成される部分Ａを除く他の部分が金属材料（導電性を有する導電材料）によって構成されている。そして、この金属材料によって形成された部分が回路基板１３のグランド１６２（基準電位ライン）とハンダ付けされて固定され、電気的に接続されている。すなわち、図３の場合は、本体部１４１が板金で構成され、携帯記録媒体用端子１４３及びテストポイント１４４が、回路基板１３の基準電位とされたスロット部１４の本体部１４１によって囲われている。
このような構成を採用することによって、携帯記録媒体用端子１４３及びテストポイント１４４を外部の電磁波等からシールドあるいは携帯記録媒体用端子１４３及びテストポイント１４４から発せられる電磁波等をシールドすることが可能となる。
【００２１】
図２に戻り、キーリヤケース３２は、バッテリー１７を収納するためのバッテリー収納部１２が形成されている。このバッテリー収納部１２は、その底部１２１にスロット部１４の形状に応じた窓１２２、バッテリー１７が接続される接続端子１３１に応じた窓１２３等の複数の窓が形成されている。
上述のスロット部１４は、携帯記録媒体１００が挿入可能に形成されているため、ある程度の高さを必要としている。このため、仮に、スロット部１４を覆うようにキーリヤケース３２を形成した場合には、第１筐体３の厚みが増してしまう。これに対して本実施形態の携帯電話機１のように、キーリヤケース３２にスロット部１４の形状に応じた窓１２２を形成することによって、例えば、バッテリー収納部１２の底部１２１とスロット部１４の上面とを面一にすることが可能となり、携帯電話機１の厚みが増加することを防止することができる。また、このようにスロット部１４の形状に応じた窓１２２を形成した場合には、キーリヤケース３２に対して大きな窓が形成されるため、携帯電話機１の強度が低下することが懸念されるが、スロット部１４は、上述のように金属材料によって形成されているため、強度が高いものとなっている。このため、スロット部１４の形状に応じた窓１２２を形成した場合であっても携帯電話機１の強度が低下することを抑止することができる。
【００２２】
バッテリー収納部１２の底部１２１上には、樹脂製のシート１８が貼付される。このシート１８によって、第１筐体３の内部に異物が侵入することを防止することができる。なお、シート１８の一部には切欠き１８１が形成されており、バッテリー収納部１２の底部１２１上にシート１８を貼付した状態でも、窓１２３が露出されるようなっている。よって、バッテリー１７が接続される接続端子１３１がバッテリー収納部１２内に露出されることとなる。そして、このシート１８上にバッテリー１７が載置されることによって、バッテリー収納部１２にバッテリー１７が収納され、バッテリー１７の接続端子と露出された接続端子１３１とが当接され導通される。これによって、バッテリー１７から回路基板１３に電力を供給したり、バッテリー１７に回路基板１３を介して電力を充電することが可能となる。
また、バッテリー収納部１２の側面には、スロット部１４の設置位置に応じて形成された挿入孔１２４が形成されている。そして、この挿入孔１２４を介して第１筐体３の外部から携帯記録媒体１００がスロット部１４の内部に挿入可能とされている。
【００２３】
そして、バッテリー１７がバッテリー収納部１２に収納された状態で、カバー１９がバッテリー収納部１２を覆うように設置される。
【００２４】
このような構成を有する本実施形態の携帯電話機においては、従来、スロット部１４の外部に形成されていたテストポイント１４４がスロット部１４の内部に移動される。このため、回路基板１３が小型化することができ、本実施形態の携帯電子機器は、小型の携帯電子機器となる。
【００２５】
図５は、本実施形態の携帯電話機１が組立てられた状態における各種デバイス１５の動作を検査する際に用いられるプローブ２００を模式的に示した概略構成図である。
プローブ２００は、スロット部１４の内部に形成されたテストポイント１４４への入力信号あるいは出力信号を伝送するものであり、検査装置３００と接続されている。
そして、プローブ２００は、図５に示すように、挿入部２０１と、複数の接続端子２０２と、信号線２０３とを備えている。
【００２６】
挿入部２０１は、スロット部１４の差込部１４２に挿入可能な外郭（表面形状）を有するものであり、本実施形態においては、携帯記録媒体１００の外郭とほぼ同一の形状を有している。また、挿入部２０１の表面のうち、挿入部２０１がスロット部１４の差込部１４２に挿入された状態において携帯記録媒体用端子１４３と当接する部位２０４は、少なくとも絶縁性を有している。
接続端子２０２は、挿入部２０１の表面に露出して形成されており、挿入部２０１がスロット部１４の差込部１４２に挿入された際にスロット部１４の内部に形成されたテストポイント１４４に当接導通するよう配されている。
信号線２０３は、一端が接続端子２０２に接続されるとともに他端が検査装置３００と接続されている。
【００２７】
そして、各種デバイス１５の検査を行う場合には、まず、検査装置３００に接続されたプローブ２００の挿入部２０１を携帯電話機１のスロット部１４の差込部１４２に挿入する。これによって、挿入部２０１に形成された接続端子２０２とスロット部１４の内部に形成されたテストポイント１４４とが当接導通される。
【００２８】
その後、検査装置３００から検査用の入力信号がプローブ２００、テストポイント１４４（入力用端子）、配線１６を介して検査信号が各種デバイス１５に入力されるとともに、各種デバイス１５から配線１６、テストポイント１４４（出力用端子）及びプローブ２００を介して検査装置３００に検査信号が入力される。
そして、検査装置３００において、各種デバイス１５から出力された検査信号が分析されることによって、各種デバイス１５の動作が検査される。
【００２９】
このような本実施形態によれば、回路基板１３上に実装された各種デバイス１５の動作を検査するためのテストポイント１４４がスロット部１４の内部に形成され、このスロット部１４の差込部１４２にプローブ２００の挿入部２０１を挿入することによって各種デバイス１５の動作を検査することができる。
このため、従来のように、回路基板１３上にテストポイントを形成しておき、カバー１９、バッテリー１７、シート１８を取り外し、さらにキーリヤケース３２に形成された窓を介してテストポイントに接続することによって各種デバイス１５の動作を検査する方法と比較して、本実施形態は、携帯電話機の組立て後におけるデバイスの機能検査を容易化することができる。
また、バッテリー１７を取り付けた状態におけるデバイスの機能検査を行うこともできる。このため、各種デバイス１５に電力を供給している状態において各種デバイス１５の検査を行うことも可能である。
【００３０】
また、本実施形態においては、プローブ２００の挿入部２０１の表面のうち、挿入部２０１がスロット部１４の差込部１４２に挿入された状態において携帯記録媒体用端子１４３と当接する部位２０４は、少なくとも絶縁性を有している。このため、プローブ２００と携帯記録媒体用端子１４３が短絡することを防止することができる。
【００３１】
なお、スロット部１４の内部には、さらに多くのテストポイント１４４を形成するスペースを確保することができる。このため、例えば、テストポイント１４４の数を増やし、従来のデバイスの機能検査よりもさらに検査項目を増やすことが可能となる。このため、より信頼性の高い携帯電話機を製造することが可能となる。
【００３２】
（第２実施形態）
次に、本発明の第２実施形態について説明する。なお、本第２実施形態の説明において、上記第１実施形態と同様の部分については、その説明を省略あるいは簡略化する。
【００３３】
図６は、本実施形態の携帯電話機が備えるスロット部２０を差込部１４２側から見た正面図である。この図に示すように、本実施形態のスロット部２０は、上記第１実施形態のスロット部１４における回路基板１３に対向する面（下面）が開放された形状を有している。
そして、テストポイント１４４は、スロット部２０の下面が開放されることによって差込部１４２内に露出された回路基板１３に形成されている。
なお、スロット部２０の下面全体を開放せずとも、テストポイント１４４が形成されている箇所に開口部があれば、下面があっても構わない。
【００３４】
このような構成を有する本実施形態の携帯電話機においても、従来、スロット部２０の外部に形成されていたテストポイント１４４がスロット部２０によって覆われた領域に移動される。このため、回路基板１３が小型化することができ、本実施形態の携帯電子機器は、小型の携帯電子機器となる。
【００３５】
また、組立て後のデバイスの機能検査を行う際にも、差込部１４２にプローブ２００の挿入部２０１を挿入することによって行うことができるため、携帯電話機の組立て後におけるデバイスの機能検査を容易化することができる。
【００３６】
なお、本実施形態の携帯電話機においても、携帯記録媒体用端子１４３が形成される部分を除く他の部分が金属材料によって構成され、この金属材料によって形成された部分が回路基板１３のグランドと電気的に接続されている構成を採用することが好ましい。これによって、回路基板１３の基準電位とされたスロット部１４が他の実装部品（各種デバイス１５）と第１端子及び１４３テストポイント１４４とを間切ることとなるため、携帯記録媒体用端子１４３及びテストポイント１４４を外部の電磁波等からシールドあるいは携帯記録媒体用端子１４３及びテストポイント１４４から発する電磁波等をシールドすることが可能となる。
【００３７】
以上、本発明の実施形態について図面を参照して詳説したが、具体的な構成は、上記実施形態に限定されるものではなく、本発明の要旨を逸脱しない範囲において設計変更等が可能である。
【００３８】
例えば、上記実施形態においては、本発明の携帯電子機器の一例として携帯電話機を挙げて説明した。しかしながら、本発明はこれに限定されるものではなく、携帯記録媒体を挿入可能なスロット部を備える携帯電子機器全てに適用することができる。
【図面の簡単な説明】
【００３９】
【図１】本発明の第１実施形態である携帯電話機を示す正面図である。
【図２】本発明の第１実施形態である携帯電話機が備える第１筐体の分解斜視図である。
【図３】本発明の第１実施形態である携帯電話機が備えるスロット部を模式的に示した拡大斜視図である。
【図４】本発明の第１実施形態である携帯電話機が備えるスロット部を差込部から見た正面図である。
【図５】本発明の第１実施形態である携帯電話機が組立てられた状態における各種デバイスの動作を検査する際に用いられるプローブを模式的に示した概略構成図である。
【図６】本発明の第２実施形態である携帯電話機が備えるスロット部を差込部から見た正面図である。
【符号の説明】
【００４０】
１……携帯電話機（携帯電子機器）、３……第１筐体（筐体）、１３……回路基板、１４，２０……スロット部、１５……デバイス（電子部品）、１６……配線、１８……シート、１００……携帯記録媒体、１０１……接続端子、１２４……挿入孔、１４３……携帯記録媒体用端子（第１端子）、１４４……テストポイント（第２端子）、２００……プローブ、２０１……挿入部、２０２……接続端子、２０３……信号線、
【図１】
2007150830.tif 000003
【図２】
2007150830.tif 000004
【図３】
2007150830.tif 000005
【図４】
2007150830.tif 000006
【図５】
2007150830.tif 000007
【図６】
2007150830.tif 000008